(57)【要約】【課題】上面が平坦に形成された屋根瓦が軒棟方向と直交する方向に隣り合う場合に屋根瓦同士の段差が外観上目立つことを防止すると共に、この屋根における横走りを軽減することができる屋根瓦を提供する。【解決手段】屋根瓦１は、上面が平坦に形成される。この屋根瓦１は、屋根への設置時に屋根の下り傾斜方向に臨む前端の上下寸法Ｔが１０〜３５ｍｍの範囲にある。また、上面の少なくとも一方の側端縁に、外側方に向けて下り傾斜する傾斜部２が形成されている。この傾斜部２の幅寸法Ｂは下記式（１）に示す関係を満たす値である。更に、この傾斜部２の上下寸法Ｈは２ｍｍ以上であると共に下記式（２）に示す関係を満たす値である。    Ｔ／２≦Ｂ≦８Ｔ／５  …（１）    Ｔ／５≦Ｈ≦Ｔ／３  …（２）  このため、傾斜部２によって形成される凹溝によって、屋根瓦１間の段差が目立たなくなると共に、この凹溝によって横走りが妨げられる。【選択図】図１
2010084436.tif 000002
【特許請求の範囲】
【請求項１】
上面が平坦な屋根瓦であって、屋根への設置時に屋根の下り傾斜方向に臨む前端の上下寸法が１０〜３５ｍｍの範囲であり、上面の少なくとも一方の側端縁に、外側方に向けて下り傾斜する傾斜部が形成され、この傾斜部の幅寸法が下記式（１）に示す関係を満たす値であり、且つこの傾斜部の上下寸法が２ｍｍ以上であると共に下記式（２）に示す関係を満たす値であることを特徴とする屋根瓦。
Ｔ／２≦Ｂ≦８Ｔ／５  …（１）
Ｔ／５≦Ｈ≦Ｔ／３  …（２）
Ｂ：傾斜部の幅寸法
Ｈ：傾斜部の上下寸法
Ｔ：屋根瓦の前端の上下寸法
【請求項２】
上面の両側の側端縁に、それぞれ傾斜部が形成されていることを特徴とする請求項１に記載の屋根瓦。
【請求項３】
上面の一方の側端縁に傾斜部が形成され、他方の側端縁が、前記傾斜部の側端よりも上方に位置する堰部として形成されていることを特徴とする請求項１に記載の屋根瓦。
【発明の詳細な説明】
【技術分野】
【０００１】
本発明は、建物の屋根に設置される屋根瓦に関する。
【背景技術】
【０００２】
従来、シンプルな外観を有する建物を提供するなどのため、上面が平坦に形成された平瓦とよばれる屋根瓦が使用されている（特許文献１参照）。このような屋根瓦は洋風建築、和風建築のいずれにも調和し、汎用性に富むという利点もある。
【０００３】
図１１に上面が平坦な屋根瓦１を設置した屋根（寄棟屋根）の例を示す。図中の符号１４は棟包を、符号１５は差棟を示す。
【０００４】
しかし、このような屋根瓦１を建物の屋根に設置する場合、屋根瓦１の寸法誤差や反り、ねじれ等の変形、屋根下地の不陸、設置作業時の屋根瓦１の僅かな位置ずれ等が生じると、軒棟方向と直交する方向に隣り合う屋根瓦１同士の継ぎ目に段差が生じて不揃いな外観が生じてしまい、意匠性が悪くなるという問題がある。特に粘土質材料を成形・焼成して得られる屋根瓦１（粘土瓦）の場合には、反りやねじれが発生しやすくなって、前記のような問題が顕著に現れる。
【０００５】
また、屋根瓦１が設置された屋根に雨水が付着すると、この雨水は通常は軒棟方向に流れて軒先に設けられた雨樋に導かれて排水されるものであるが、上面が平坦な屋根瓦１が設置された屋根が強い風雨に曝された場合などには、屋根の上面に付着した雨水が風により軒棟方向と直交する方向に流動して、屋根のけらば部分、下屋の壁際、図１１に示すような寄棟屋根の隅棟部分などの納まり部位に大量の水が集まり、雨漏りの危険性が高まるという問題もある。
【特許文献１】特開２００６−１８８９００号公報
【発明の開示】
【発明が解決しようとする課題】
【０００６】
本発明は上記の点に鑑みてなされたものであり、上面が平坦に形成された屋根瓦であって、この屋根瓦を屋根に設置した場合に軒棟方向と直交する方向に隣り合う屋根瓦同士の段差が外観上目立つことを防止すると共に、この屋根が強い風雨に曝された場合などに横走りを軽減することができる屋根瓦を提供することを目的とする。
【課題を解決するための手段】
【０００７】
本発明に係る屋根瓦１は、上面が平坦に形成される。この屋根瓦１は、屋根への設置時に屋根の下り傾斜方向に臨む前端の上下寸法Ｔが１０〜３５ｍｍの範囲にある。また、上面の少なくとも一方の側端縁に、外側方に向けて下り傾斜する傾斜部２が形成されている。この傾斜部２の幅寸法Ｂは下記式（１）に示す関係を満たす値である。更に、この傾斜部２の上下寸法Ｈは２ｍｍ以上であると共に下記式（２）に示す関係を満たす値である。
【０００８】
Ｔ／２≦Ｂ≦８Ｔ／５  …（１）
Ｔ／５≦Ｈ≦Ｔ／３  …（２）
このため、屋根瓦１が設置された屋根上面に、傾斜部２によって軒棟方向と直交する方向に並ぶ軒棟方向の凹溝１３が形成され、この凹溝１３によって、屋根瓦１の寸法誤差や変形、屋根下地の不陸、設置作業時の屋根瓦１の位置ずれ等により隣り合う屋根瓦１同士に上下方向の位置ずれが生じても、この位置ずれによる屋根瓦１間の段差が目立たなくなる。また、屋根が強い風雨に曝されるなどして、屋根瓦１の上面に水が付着すると共にこの水が屋根の軒棟方向と直交する方向に流動する現象（横走り）が発生した場合には、この水の流れが前記凹溝１３によって妨げられ、この水が前記凹溝１３に沿って屋根上面を軒側に向けて流動し、或いは屋根瓦１同士の継ぎ目から屋根下地側に浸入してから軒側に向けて流動する。
【０００９】
この屋根瓦１では、上面の両側の側端縁に、それぞれ傾斜部２が形成されていることが好ましい。この場合、屋根瓦１が設置された屋根上面には、軒棟方向と直交する方向に隣り合う屋根瓦１の傾斜部２同士が突き合わさることで凹溝１３が形成され、隣り合う屋根瓦１同士の継ぎ目に段差が生じて不揃いになった場合でも目立ちにくく、屋根の外観が向上する。
【００１０】
また、この屋根瓦１では、上面の一方の側端縁に傾斜部２が形成され、他方の側端縁が、前記傾斜部２の側端よりも上方に位置する堰部３として形成されていることも好ましい。この場合、屋根瓦１が設置された屋根上面には、軒棟方向と直交する方向に隣り合う一方の屋根瓦１の傾斜部２と他方の屋根瓦１の堰部３とが突き合わさることで凹溝１３が形成され、雨水等が屋根瓦１上を傾斜部２側に向けて流動した場合に、凹溝１３に達した水の流れが堰部３によって塞き止められることで、水の流れが効果的に妨げられる。このため、特定の一方向の横走りを重点的に軽減する必要がある場合にその特定の方向の横走りを効果的に軽減することができる。
【発明の効果】
【００１１】
本発明によれば、屋根瓦１を屋根に設置することで全体的に平坦でシンプルな外観を建物に付与することができ、また軒棟方向と直交する方向に隣り合う屋根瓦１同士の間で上下方向の位置ずれが生じてもこの屋根瓦１同士の間の段差が目立たなくなって不揃いな外観が生じることが抑制され、更に屋根が風雨に曝された場合などに横走りを軽減することができるものである。
【発明を実施するための最良の形態】
【００１２】
以下、本発明を実施するための最良の形態について説明する。
【００１３】
図１〜３に、本発明に係る屋根瓦１（屋根材）の一例を示す。
【００１４】
この屋根瓦１は、平面視矩形状に形成されている。この屋根瓦１は上面が平坦に形成された平瓦として形成されている。
【００１５】
本実施形態の屋根瓦１は、設置時に隣接する他の屋根瓦１の端縁の上に重ねられる下記の前垂部４と横重ね部５とを備える。
【００１６】
図示のように、前垂部４は、屋根瓦１の軒側端部に、下面から下方に突出するように形成されている。この前垂部４は図示の通り、屋根瓦１の軒棟方向と直交する方向の一端から他端に亘って設けられている。
【００１７】
また、横重ね部５は、屋根瓦１の軒棟方向と直交する方向の一端縁に形成され、他端縁からは下重ね部７が延出されている。この屋根瓦１を平面上に載置した状態では、横重ね部５の下面と下重ね部７の下面は前記平面から浮いた状態となり、下重ね部７の上面は屋根瓦１の他の部分の上面よりも下方位置に配置される。下重ね部７の上面には、上方に開口する軒棟方向の水切溝９が形成されている。
【００１８】
また、屋根瓦１の棟側端部には、表面から上方に突出する立ち上がり部８が突設されている。立ち上がり部８は図示の通り、屋根瓦１の軒棟方向と直交する方向の一端から他端に亘って設けられている。
【００１９】
また、屋根瓦１の棟側寄りの部分の、棟側端縁よりも軒側の部分には、下方に突出する下支持部１０が突設されている。
【００２０】
屋根瓦１の棟側端縁と、上記下重ね部７とには、それぞれビスや釘等の固着具が打入される固着孔１１が設けられている。図示の例では屋根瓦１の棟側端縁では立ち上がり部８の形成位置に複数の固着孔１１が軒棟方向と直交する方向に並んで設けられており、また下重ね部７には一つの固着孔１１が設けられているが、固着孔１１の位置及び個数は図示のものに制限されるものではない。
【００２１】
この屋根瓦１は、屋根への設置時に屋根の下り傾斜方向に臨む前端（軒側の端部）の上下寸法Ｔが１０〜３５ｍｍの範囲に形成される。この屋根瓦１の前端の上下寸法Ｔは、屋根瓦１が屋根に設置された場合にこの屋根瓦１の見かけ上の厚みとして外観に現れる高さであり、本実施形態では屋根瓦１の前端部の下端（前垂部４の下端）と屋根瓦１の上面との間の上下寸法（屋根瓦１の表面と直交する方向の高低差）が、前記前端の上下寸法Ｔに相当する。
【００２２】
また屋根瓦１の上面の両側の側端縁（軒棟方向と直交する方向の端縁）には、それぞれ傾斜部２が形成されている。この傾斜部２は、屋根瓦１の軒棟方向と直交する外側方へ向けて下り傾斜するように形成されている。この傾斜部２は、上側に凸な曲面状に形成されている。
【００２３】
このような屋根瓦１の屋根下地６への設置について、図４，５を示して説明する。
【００２４】
屋根下地６は野地にて形成することができ、この場合、野地には必要に応じてアスファルトルーフィング等の防水シートが設けられる。
【００２５】
この屋根下地６上に軒側から棟側に向かって順次屋根瓦１を設置する。屋根瓦１を設置するにあたっては、まず複数の屋根瓦１を軒棟方向と直交する方向に順次設ける。このとき、まず屋根瓦１を屋根下地６上に配置し、この状態で固着孔１１にビスや釘等の固着具を打入して屋根下地６上に屋根瓦１を固定する。次いで、固定した屋根瓦１の、下重ね部７が設けられている側の側方に、別の屋根瓦１を配置する。このとき固定された屋根瓦１の下重ね部７に、別の屋根瓦１の横重ね部５を重ねるようにし、下重ね部７における固着具の固着位置を横重ね部５で覆うようにする。この状態で、前記別の屋根瓦１の固着孔１１に前記と同様にして固着具を打入して屋根下地６に固定する。この動作を複数回繰り返すことで、複数の屋根瓦１を軒棟方向と直交する方向に並べて設置する。
【００２６】
次に、上記のように設置された屋根瓦１（以下、一列目の屋根瓦１という）の棟側の屋根下地６上に、別の屋根瓦１（以下、二列目の屋根瓦１という）を配置する。図４に示す例では、二列目の屋根瓦１の横方向位置を一列目の屋根瓦１からずらして、千鳥状に配置している。このとき一列目の屋根瓦１の立ち上がり部８よりも軒側に二列目の屋根瓦１の前垂部４が配置されるようにする。このとき、一列目の屋根瓦１の棟側端縁における固着具の固着位置が、二列目の屋根瓦１にて覆われる。この状態で、二列目の屋根瓦１の固着孔１１に上記一列目の屋根瓦１の場合と同様に固着具を打入して、二列目の屋根瓦１を固定する。次いで、一列目の屋根瓦１の場合と同様に、この二列目の固定した屋根瓦１の、下重ね部７が設けられている側に、別の屋根瓦１を設置し、このとき二列目の最初に固定した屋根瓦１と同様に一列目の屋根瓦１の立ち上がり部８よりも軒側に二列目の屋根瓦１の前垂部４が配置されるようにする。この動作を複数回繰り返すことにより、複数の二列目の屋根瓦１を軒棟方向と直交する方向に並べて設置する。
【００２７】
そして、同様に三列目、四列目と繰り返し屋根瓦１を複数列設置することにより、屋根下地６上に複数の屋根瓦１を設置することができる（図１１参照）。
【００２８】
このように屋根瓦１を設置した状態では、軒棟方向に隣り合う屋根瓦１同士では、図５に示すように軒側の屋根瓦１の上面に棟側の屋根瓦１の前垂部４が重ねられている。このため、上述のように屋根瓦１の前端の上下寸法Ｔ、すなわち前垂部４の下端と屋根瓦１の上面との間の上下寸法が、屋根瓦１の見かけ上の厚みとして外観に現れる。
【００２９】
また、軒棟方向と直交する方向に隣り合う屋根瓦１同士の突き合わせ部分では、各屋根瓦１の傾斜部２同士が突き合わされ、このため屋根の上面には前記傾斜部２で構成される軒棟方向の凹溝１３が形成される（図６参照）。このため、屋根の上面には軒棟方向と直交する方向に沿って周期的に凹溝１３が形成される。
【００３０】
また、軒棟方向と直交する方向に隣り合う屋根瓦１同士では、図７に示すように、一方の屋根瓦１の下重ね部７の上に他方の屋根瓦１の横重ね部５が重ねられ、水切溝９の上部開口が横重ね部５によって覆われる。。
【００３１】
このようにして屋根瓦１が屋根に設置されると、屋根上面に軒棟方向と直交する方向に並ぶ軒棟方向の凹溝１３が形成されることで、屋根瓦１の寸法誤差や変形、屋根下地の不陸、設置作業時の屋根瓦１の位置ずれ等により隣り合う屋根瓦１同士に上下方向の位置ずれが生じても、この位置ずれによる屋根瓦１間の段差が目立たなくなって、屋根の外観が前記位置ずれにより不揃いになることが防止される。
【００３２】
また、屋根が強い風雨に曝されるなどして、屋根瓦１の上面に水が付着すると共にこの水が屋根の軒棟方向と直交する方向に流動する現象（横走り）が発生した場合には、この水の流れが前記凹溝１３によって妨げられ、この水が前記凹溝１３に沿って屋根上面を軒側に向けて流動する。また凹溝１３によって流れが妨げられた水が屋根瓦１同士の継ぎ目から下方に浸入しても、この水は横重ね部５と下重ね部７との間で水切溝９に溜まり、この水は屋根の傾斜により水切溝９に沿って移動して軒側へ排水されることとなる。ここで、特に本実施形態のように屋根瓦１が千鳥状に設置されている場合には、水切溝９の水は、この横重ね部５と下重ね部７が形成されている屋根瓦１の軒側端部と、この屋根瓦１の軒側に隣接している下段の屋根瓦１との間から外部に排水されるため、水切溝９には屋根瓦１一列分のみの雨水等が流れることになり、この水切溝９から水が溢れ出すようなことがなくなる。
【００３３】
このようにして屋根の外観を向上すると共に雨水等の横走りを軽減するためには、傾斜部２の幅寸法Ｂ（軒棟方向と直交する方向の寸法）は、上記屋根瓦１の前端の高さ寸法Ｔとの間で、下記式（１）の関係を満たす必要がある。
【００３４】
Ｔ／２≦Ｂ≦８Ｔ／５  …（１）
この傾斜部２の幅寸法Ｂが式（１）で示される範囲よりも小さくなると隣り合う屋根瓦１間の段差を目立たないようにすることが困難となり、また前記範囲よりも大きくなると雨水等の横走りを充分に軽減することができなくなってしまう。
【００３５】
また、この傾斜部２の上下寸法Ｈ（傾斜部２の外側端と内側端との間の、屋根瓦１の表面と直交する方向の高低差）は２ｍｍ以上である必要があると共に、上記屋根瓦１の前端の高さ寸法Ｔとの間で、下記式（２）の関係を満たす必要がある。
【００３６】
Ｔ／５≦Ｈ≦Ｔ／３  …（２）
この傾斜部２の上下寸法Ｈが２ｍｍに満たないか、或いは式（２）で示される範囲よりも小さくなると、隣り合う屋根瓦１間の段差を目立たないようにすることが困難となると共に、雨水等の横走りを充分に軽減することができなくなってしまう。また、この傾斜部２の上下寸法Ｈが式（２）で示される範囲よりも大きくなると、下重ね部７と横重ね部５の嵌合形状が設計できなくなってしまう。
【００３７】
上記の実施形態では、傾斜部２は図７に示すように上側に凸な曲面状に形成されているが、この傾斜部２は図８に示すように平面状に形成されていてもよく、また屋根瓦１の外側方に向けて下り傾斜する形状であれば、その他適宜の形状に形成されていてもよい。
【００３８】
また、上記実施形態では、傾斜部２は屋根瓦１の上面の両側の側端縁にそれぞれ形成され、図７に示すように互いに突き合わされた二つの傾斜部２によって凹溝１３が形成されているが、この傾斜部２は屋根瓦１の少なくとも一方の側端縁に形成されていればよい。傾斜部２が屋根瓦１の上面の一方の側端縁のみに形成されている場合であっても、屋根瓦１が設置された屋根の上面には傾斜部２によって凹溝１３が形成され、これにより隣り合う屋根瓦１同士の位置ずれが目立たなくなるとともに、雨水等の横走りが充分に軽減される。
【００３９】
図９，１０は屋根瓦１の上面の一方の側端縁にのみ、傾斜部２を形成した場合の実施形態を示す。傾斜部２は、屋根瓦１の下重ね部７が形成されている側の側端縁と、横重ね部５が形成されている側の側端縁のうち、いずれか一方に形成されればよいが、本実施形態では、傾斜部２は屋根瓦１の上面の、下重ね部７が形成されている側の側端縁に形成されている。傾斜部２は、図９に示す例では上側に凸な曲面状に形成され、図１０に示す例では平面状に形成されている。一方、屋根瓦１の上面の、横重ね部５が形成されている側の側端縁は、前記傾斜部２の側端よりも上方に位置する堰部３として形成されている。
図９に示す例では、屋根瓦１の上面の、横重ね部５が形成されている側の側端縁に曲面状の面取り１６が形成され、図１０に示す例では、この側端縁に平面状の面取り１６が形成されているが、これらの面取り１６の形成位置が傾斜部２の側端よりも上方にあることで、これらの側端縁が堰部３として形成されている。傾斜部２の寸法は、図１〜７に示す実施形態と同様に形成される必要がある。
【００４０】
この実施形態においても、屋根の上面には傾斜部２で構成される軒棟方向の凹溝１３が形成され、このため、屋根の上面には軒棟方向と直交する方向に沿って周期的に凹溝１３が形成される。このため、隣り合う屋根瓦１同士に上下方向の位置ずれが生じても、この位置ずれによる屋根瓦１間の段差が前記凹溝１３によって目立たなくなって、屋根の外観が前記位置ずれにより不揃いになることが防止される。また、屋根の上面で雨水等の横走りが発生しても、水の流れが前記凹溝１３によって妨げられ、この水が前記凹溝１３に沿って屋根上面を軒側に向けて流動する。特に本実施形態では、水が屋根瓦１上を傾斜部２側に向けて流動した場合、凹溝１３に達した水の流れが堰部３によって塞き止められることで、水の流れが効果的に妨げられる。また、この凹溝１３に達した水が屋根瓦１同士の継ぎ目から下方に浸入しても、図１〜７に示す実施形態と同様にこの水は屋根の傾斜により水切溝９に沿って移動して軒側へ排水される。本実施形態では傾斜部２が屋根瓦１の上面の、下重ね部７が形成されている側の端縁に形成されており、前記のように水が屋根瓦１上を傾斜部２側に向けて流動した場合、その流動方向に沿って水が水切溝９に導かれ、水がスムーズに排水されるようになる。
【００４１】
このように本実施形態は、屋根瓦１上を傾斜部２側に向けて流動する水の横走りを特に効果的に軽減すると共にこの水をスムーズに排水することができるため、特定の一方向の横走りを重点的に軽減する必要がある場合に好適である。
【００４２】
上記のような本発明に係る屋根瓦１は、無機系、樹脂系、金属系などの任意の材料で形成することができる。特にセメントと水と油性物質を主成分とするセメント含有逆エマルジョン組成物からなるセメント系成形材料で屋根瓦１を形成すると、屋根瓦１を押し出し成形等により容易に形成することができ、また、吸水が少なく寒冷地において凍結が発生し難くなるものであり、更に屋根瓦１の厚みを増しても屋根瓦１の軽量化を図ることができるものである。この組成物において、セメントと水の比率は任意に設定することができるが、重量比率で、セメント１に対して水０．３〜２の範囲が一般的に好ましい。
【００４３】
セメントとしては、特に制限されるものではないが、ポルトランドセメント、フライアッシュセメント、高炉セメント、アルミナセメント、ハイアルミナセメント、シリカフュームセメントなどを挙げることができるものであり、これらを一種単独で用いたり、二種以上を併用したりすることができる。油性物質は水と逆エマルジョン（Ｗ／Ｏエマルジョン）を形成するためのものであり、特に制限されるものではないが、通常は疎水性の液状物質が利用され、例えばトルエン、キシレン、灯油、スチレン、ジビニルベンゼン、メチルメタクリレート、トリメチロールプロパントリメタクリレート、不飽和ポリエステル樹脂等を挙げることができ、これらを一種単独で用いたり、二種以上を併用したりすることができる。油性物質の配合量は、セメント含有逆エマルジョン組成物中の水と固形分の総量に対して５〜１０体積％の範囲が好ましい。セメント含有逆エマルジョン組成物には上記の成分の他に、乳化剤を配合することが好ましい。乳化剤は逆エマルジョンに安定性を付与するために配合されるものであり、例えばソルビタンセスキオール、グリセロールモノステアレート、ソルビタンモノオレート、ジエチレングリコールモノステアレート、ソルビタンモノステアレート、ジグリセロールモノオレート等の非イオン界面活性剤、各種アニオン系界面活性剤、カチオン系界面活性剤等を用いることができる。乳化剤の配合量はセメント含有逆エマルジョン組成物中の水と固形分の総量に対して１〜３体積％の範囲が好ましい。セメント含有逆エマルジョン組成物中にはさらに、適宜量の補強材や各種添加剤を配合することができる。補強材としては、例えば砂利、パーライト、シラスバルーン、ガラス粉、アルミナシリケートなどの骨材、ポリプロピレン繊維、アクリル繊維、ビニロン繊維、アラミド繊維等の合成繊維や、炭素繊維、ガラス繊維、パルプなどの補強繊維を挙げることができる。
【００４４】
以下に、屋根瓦１の製造方法の一例を示す。まず、乳化剤（例えば、ヤシ油１．０〜２．０質量部）、スチレンモノマー４．０〜６．０質量部、水３５．０〜５０．０質量部及び適量の架橋剤と重合開始剤とを混合して逆エマルジョンを作製する。次に、この逆エマルジョン１００質量部と、セメント７０〜９０質量部と、有機系軽量化材０．３〜５．０質量部と、補強繊維１．０〜２．０質量部、或いは上記逆エマルジョン１００質量部と、セメント５５．０〜７５．０質量部と、無機系軽量化材１５．０〜３５．０質量部と、補強繊維１．０〜２．０質量部とを強制攪拌機あるいは連続混合機にて混合してセメント含有逆エマルジョン組成物を調製する。次に、セメント含有逆エマルジョン組成物を押出成形機に投入して成形シートを押し出し成形する。この後、押出成形機から押し出し成形された成形シートを必要長さずつトレイで受け取り、所定形状にプレス成形する。次に、プレスされた成形シートを蒸気養生を行って硬化させた後、表面や端面の仕上げ加工を行う。
【００４５】
また、屋根瓦１は粘土質材料を成形し焼成して得られる焼成品であってもよい。この場合は屋根瓦１には焼成時のあばれによって反りやねじれが発生しやすくなるが、そのような場合であっても、本発明によれば、軒棟方向と直交する方向に隣り合う屋根瓦１同士の間の段差が目立たなくなる。
【図面の簡単な説明】
【００４６】
【図１】本発明の実施の形態の一例を示す、屋根瓦の正面視の断面図である。
【図２】同上の側面視の断面図である。
【図３】同上の平面図である。
【図４】同上の屋根瓦が屋根に設置された状態を示す一部の平面図である。
【図５】同上の一部の側面視の断面図である。
【図６】同上の一部の斜視図である。
【図７】同上の一部の正面視の断面図である。
【図８】本発明の実施の形態の他例を示すものであり、屋根瓦が屋根に設置された状態を示す一部の正面視の断面図である。
【図９】本発明の実施の形態の更に他例を示すものであり、屋根瓦が屋根に設置された状態を示す一部の正面視の断面図である。
【図１０】本発明の実施の形態の更に他例を示すものであり、屋根瓦が屋根に設置された状態を示す一部の正面視の断面図である。
【図１１】上面が平坦な屋根瓦が設置された屋根の一例を示す斜視図である。
【符号の説明】
【００４７】
１    屋根瓦
２    傾斜部
３    堰部
【図１】
2010084436.tif 000003
【図２】
2010084436.tif 000004
【図３】
2010084436.tif 000005
【図４】
2010084436.tif 000006
【図５】
2010084436.tif 000007
【図６】
2010084436.tif 000008
【図７】
2010084436.tif 000009
【図８】
2010084436.tif 000010
【図９】
2010084436.tif 000011
【図１０】
2010084436.tif 000012
【図１１】
2010084436.tif 000013